(57)【要約】【課題】  手ブレを確実に防止し、且つレリーズボタンの設置位置に制限のないカメラ用スイッチ装置をローコストに提供する。【解決手段】  スイッチ装置２０は、レリーズボタン１５、押圧部３０、ボタンガイド部２１、スイッチ取付部２２、タクトスイッチ２３、付勢部材２６、押え部材２７からなる。タクトスイッチ２３は、接点基板４１、ドーム接片４２、カバー部材４３からなる。押圧部３０は、レリーズボタン１５と一体に設けられ、くの字状に屈曲した形状に形成されている。レリーズボタン１５が押下されてタクトスイッチ２３がオン状態となった後、押圧部３０が折り畳まれるようにして変形し、押下方向の全長Ｈが収縮するので、レリーズボタン１５が受けた押圧が吸収される。【選択図】        図３
2006145693.tif 000002
【特許請求の範囲】
【請求項１】
押下操作するレリーズボタンと、ドーム状の金属接片及び接点を有し、前記金属接片が上方に凸となって前記接点から離れる初期位置、及び前記金属接片が下方に凸となって前記接点に接触する接触位置の間で変位するタクトスイッチとからなり、前記金属接片が初期位置のときオフ状態となっており、前記金属接片がレリーズボタンからの押圧を受けて前記接触位置に変位するとオン状態となるカメラ用スイッチ装置において、
前記金属接片と当接して前記レリーズボタンからの押圧を前記金属接片に伝達する押圧部を前記レリーズボタンと一体に設け、この押圧部を前記レリーズボタンの押圧方向に対して収縮自在に形成していることを特徴とするカメラ用スイッチ装置。
【請求項２】
前記押圧部は、前記レリーズボタンの押下方向に対して屈曲する形状に形成されており、前記レリーズボタンの押下操作によって屈曲部分を中心にして折り畳まれて押圧方向の長さが収縮することを特徴とする請求項１記載のカメラ用スイッチ装置。
【請求項３】
前記押圧部に近接し、前記押圧部がレリーズボタンの押下操作により折り畳まれたときに前記屈曲部分によりオン状態となる第２スイッチを備えたことを特徴とする請求項２記載のカメラ用スイッチ装置。
【請求項４】
前記押圧部は、前記レリーズボタンから突出する突出位置、及びこの突出位置から退避して前記レリーズボタンに近接する収縮位置の間で移動自在に設けられた移動部材と、この移動部材を前記突出位置に付勢する付勢部材とからなり、前記レリーズボタンの押下操作により前記付勢部材に抗して前記収縮位置に前記移動部材が移動することを特徴とする請求項１記載のカメラ用スイッチ装置。
【請求項５】
前記タクトスイッチの底面側には、前記レリーズボタンから受けた押圧を吸収する弾性部材が備えられていることを特徴とする請求項１ないし４いずれか記載のカメラ用スイッチ。
【発明の詳細な説明】
【技術分野】
【０００１】
本発明は、レリーズ操作時の手ブレを防止するカメラに関するものである。
【背景技術】
【０００２】
レリーズボタンを押下操作したときに、その押圧によってカメラが動いてしまうこと、いわゆる「手ブレ」が生じてしまうことがあり、この手ブレが生じたときに撮影が行われると、著しく画質が低下してしまう。そこで、レリーズ操作時の手ブレを防止する機構を備えたカメラが、例えば特許文献１、２に記載されている。
【０００３】
特許文献１に記載されたカメラでは、レリーズボタンの押圧方向が、フィルムの露光領域を決めるためのアパーチュアの略中心を通るように設定している。これによって、レリーズボタンを操作したときの押圧で、アパーチュアの略中心の回りにカメラを回転させようとする力が生じることがなくなるので、手ブレの影響を最小限に抑えることができる。
【０００４】
特許文献２に記載されたカメラでは、タッチセンサからなるレリーズボタンを備えており、レリーズ操作のとき、力を加えて押し込む動作をしなくても撮影を行うことができるので、手ブレを防ぐことができる。
【０００５】
一方、レリーズボタンからの押圧を受けてオン／オフ状態を切り替えるスイッチとしては、タクトスイッチ又はドームスイッチと呼ばれるものが知られている。このタクトスイッチは、上面がドーム状に凸となるように形成された凸部を有する接片と、このドーム接片の下方に位置する接点とを有し、ドーム接片がレリーズボタンからの押圧を受けていない初期位置では、オフ状態となっており、レリーズボタンからの押圧を受けるとドーム状の凸部が反転して下方に凸となるように変位する。この下方に凸となった接触位置で接点に接触してオン状態となる。このタクトスイッチは構造が非常に簡単であり、コストも低いという利点がある。また、タクトスイッチ以外では、細長い薄板状の金属接片を複数枚有するリーフスイッチといわれるものがあり、このリーフスイッチをレリーズボタンのスイッチとして用いた場合、一方の金属接片がレリーズボタンに押圧されて移動し、他方に接触することによってオン状態となる。
【０００６】
また、自動露光調節機能やオートフォーカス機能を有するカメラでは、レリーズ操作とシャッタレリーズとのタイムラグを小さくするために、半押し操作と全押し操作の二段階の押下操作が可能なレリーズボタンを設けているものがある。レリーズボタンの半押し時に、測光、絞り調節、オートフォーカス、フォーカスロック等を行って撮影準備がなされ、レリーズボタンをそのまま押し込んで全押しすることによりシャッタレリーズが行われる。
【特許文献１】特開平５−４５７０９号公報
【特許文献２】特開平１１−１６０７７６号公報
【発明の開示】
【発明が解決しようとする課題】
【０００７】
上述したようなタクトスイッチを用いたカメラの場合、レリーズボタンを押し込んでレリーズ操作すると、このレリーズボタンが突き当たった突き当たり位置でタクトスイッチがオン状態（ドーム接片の凸部が反転した接触位置）となる。特に半押し・全押しの２段階操作が可能なカメラの場合、突き当たり位置でタクトスイッチがオン状態となって撮影が行われることが一般的である。しかしながら、タクトスイッチでは、突き当たり位置からそれ以上押し込むことができないので、タクトスイッチがオン状態となって撮影が行われると、レリーズボタンが突き当たったときの衝撃で手ブレを生じることが多い。さらに、この突き当たったときの衝撃でカメラが傾いてしまうこともある。
【０００８】
そこで、レリーズボタンの初期位置から突き当たり位置までの途中でスイッチがオン状態となるように、突き当たり位置までの途中の位置に、上述したようなリーフスイッチを設けることも考えられるが、この場合、スイッチの設置範囲が制限されるとともに、半押し・全押しの２段階操作を可能とするためには、複数のリーフスイッチが必要となり、構成が複雑になってしまう。
【０００９】
また、上記特許文献１記載のカメラでは、レリーズボタンを設置する位置が、非常に狭い範囲に限定されてしまうという問題が生じる。さらにまた、特許文献２記載のカメラでは、高価なタッチセンサを使用しているため、ローコスト化の妨げとなるとともに、一般的な押下操作ではなく、レリーズボタンに接触するだけの操作方法なので違和感が生じてしまう。
【００１０】
本発明は、上記問題点を考慮してなされたもので、手ブレを確実に防ぐことが可能であり、且つレリーズボタンを設置する位置に制限を受けることがないカメラ用スイッチ装置を簡単な構成でローコストに提供することを目的とする。
【課題を解決するための手段】
【００１１】
上記目的を達成するために、本発明は、押下操作するレリーズボタンと、ドーム状の金属接片及び接点を有し、前記金属接片が上方に凸となって前記接点から離れる初期位置、及び前記金属接片が下方に凸となって前記接点に接触する接触位置の間で変位するタクトスイッチとからなり、前記金属接片が初期位置のときオフ状態となっており、前記金属接片がレリーズボタンからの押圧を受けて前記接触位置に変位するとオン状態となるカメラ用スイッチ装置において、前記金属接片と当接して前記レリーズボタンからの押圧を前記金属接片に伝達する押圧部を前記レリーズボタンと一体に設け、この押圧部を前記レリーズボタンの押圧方向に対して収縮自在に形成していることを特徴とする。
【００１２】
なお、前記押圧部は、前記レリーズボタンの押下方向に対して屈曲する形状に形成されており、前記レリーズボタンの押下操作によって屈曲部分を中心にして折り畳まれて押圧方向の長さが収縮することが好ましい。さらに、前記押圧部に近接し、前記押圧部がレリーズボタンの押下操作により折り畳まれたときに前記屈曲部分によりオン状態となる第２スイッチを備えていることが好ましい。
【００１３】
また、前記押圧部は、前記レリーズボタンから突出する突出位置、及びこの突出位置から退避して前記レリーズボタンに近接する収縮位置の間で移動自在に設けられた移動部材と、この移動部材を前記突出位置に付勢する付勢部材とからなり、前記レリーズボタンの押下操作により前記付勢部材に抗して前記収縮位置に前記移動部材が移動することが好ましい。さらにまた、前記タクトスイッチの底面側には、前記レリーズボタンから受けた押圧を吸収する弾性部材が備えられていることが好ましい。
【発明の効果】
【００１４】
本発明によれば、タクトスイッチを構成する金属接片と当接してレリーズボタンからの押圧を金属接片に伝達する押圧部をレリーズボタンと一体に設け、この押圧部をレリーズボタンの押圧方向に対して収縮自在に形成しているので、レリーズボタンが押下操作されたときに押圧部が衝撃を吸収するから、手ブレを確実に防ぐことが可能であり、また簡単な構成でカメラ用スイッチ装置をローコストに提供することができる。
【００１５】
また、本発明では、押圧部がレリーズボタンの押下方向に対して屈曲する形状に形成されており、レリーズボタンの押下操作によって屈曲部分を中心にして折り畳まれて押圧方向の長さが収縮し、さらに、押圧部に近接し、押圧部がレリーズボタンの押下操作により折り畳まれたときに屈曲部分によりオン状態となる第２スイッチを備えているので、カメラ用スイッチ装置をさらにローコスト化することが可能であり、さらに２段階用スイッチとした場合にも簡単な構成でローコストに提供することができる。
【００１６】
あるいは、レリーズボタンから突出する突出位置、及びこの突出位置から退避してレリーズボタンに近接する収縮位置の間で移動自在に設けられた移動部材と、この移動部材を突出位置に付勢する付勢部材とから押圧部を構成し、レリーズボタンの押下操作により付勢部材に抗して収縮位置に移動部材を移動させるようにした場合でも、カメラ用スイッチ装置をローコストに構成することが可能である。さらにまた、タクトスイッチの底面側に、レリーズボタンから受けた押圧を吸収する弾性部材を備えていることによって、より確実に衝撃を吸収して手ブレを防ぐことができる。
【発明を実施するための最良の形態】
【００１７】
本発明を適用したデジタルカメラの外観を図１に示す。このデジタルカメラ１０のカメラボディ１１は薄型の略直方体形状に構成され、その前面にスライド操作自在なレンズバリア１２及びファインダ対物窓１３が、上面にはレリーズボタン１５が、また背面には、ファインダ接眼窓１６及び液晶モニタ（図示せず）などが設けられている。レンズバリア１２を図１に示す開放位置にスライドすることによって撮影レンズ１８，ストロボ発光部１９が露呈する。撮影レンズ１３の背後にＣＣＤイメージセンサが組み込まれ、撮影レンズ１８を通して得られた被写体の光学画像を光電変換して撮像信号を出力する。
【００１８】
ＣＣＤイメージセンサからの撮像信号は逐次にＡ／Ｄ変換，各種の信号処理により画像データに変換され、背面に設けられた液晶モニタでスルー画像として被写体画像を観察することができる。レリーズボタン１５は、後述するスイッチ装置２０を構成する操作部材であり、フレーミングの後にレリーズボタン１５を押圧操作すると、その直後からＣＣＤイメージセンサから得られる１画面分の撮像信号が画像データに変換された後、内蔵メモリあるいは着脱式のメモリカードに保存される。
【００１９】
図２及び図３に示すように、レリーズ用のスイッチ装置２０は、レリーズボタン１５、、押圧部３０、ボタンガイド部２１、スイッチ取付部２２、タクトスイッチ２３、レリーズボタン１５を初期位置に付勢する付勢部材２６、及び押え部材２７からなる。なお、このスイッチ装置２０が設置される位置は、カメラボディ１１の上面に限るものではなく、カメラのどの位置にでも設置することができる。ボタンガイド部２１及びスイッチ取付部２２は、カメラボディ１１と一体に設けられており、ボタンガイド部２１は、カメラボディ１１の上面１１ａに形成された開口１１ｂ（図２参照）から連続する円筒状に形成され、スイッチ取付部２２は、ボタンガイド部２１の下方に連続する箱状に形成されている。
【００２０】
レリーズボタン１５は略円盤形状に形成されており、ボタンガイド部２１に沿って移動する。また、レリーズボタン１５には、外周面１５ａから突出する抜け止め突起部３１ａ，３１ｂが形成されており、ボタンガイド部２１には、抜け止め突起部３１ａ，３１ｂが通過する切り欠き部２１ａ，２１ｂが形成されている。押え部材２７は、レリーズボタン１５を露呈させる開口２７ａと、被係止爪２７ｂとが形成された薄板のリング状に形成されている。この押え部材２７は、被係止爪２７ｂが係止部１１ｃに係止されることによってカメラボディ１１に取り付けられるとともに、切り欠き部２１ａ，２１ｂを塞いでレリーズボタン２４がボタンガイド部２１から離脱しないように抜け止めする。付勢部材２６としてはコイルバネが使用され、レリーズボタン１５の下面１５ｂに形成された溝１５ｃと、ボタンガイド部２１の底面２１ｃの間に位置し、レリーズボタン１５を付勢する。この付勢部材２６によって、押え部材２７に抜け止め突起部３１ａ，３１が当接する初期位置にレリーズボタン１５が付勢される。なお付勢部材２６としては、コイルバネに限らず、板バネなどを使用してもよい。
【００２１】
さらに、レリーズボタン１５には、タクトスイッチ２３を押圧して動作させる押圧部３０が一体に形成されている。押圧部３０は、詳しくは図３に示すように、レリーズボタン１５の下面１５ｂに位置する根元３０ａの位置からタクトスイッチ２３に接触する接触面３０ｂまでの途中の位置で「く」の字状に屈曲する屈曲形状に形成されている。なお、符号３０ｃは、押圧部３０で最も屈曲している屈曲部を示す。この押圧部３０は、弾性を持つように形成されており、レリーズボタン１５が押圧を受けることによって撓みを生じる。撓みを生じた押圧部３０は、屈曲部３０ｃを中心にして「く」の字がさらに折り畳まれるように変形する。これにより、押圧部３０の押下方向における全長Ｈが収縮するようになっている。なお、押圧部３０は、レリーズボタン１５と一体に形成するものに限らず、弾性を持つゴムや樹脂などから別部材として形成した後、レリーズボタン１５と一体となるように固着してもよい。
【００２２】
タクトスイッチ２３は、詳しくは図４に示すように、接点基板４１、ドーム接片４２、及びカバー部材４３からなる。接点基板４１は、その上面４１ａの中央に位置する略円形状の接点４６ａ，及びこの接点４６ａの周囲に位置する接点４６ｂと、これら接点４６ａ，４６ｂから接点基板４１の底面４１ｂまで連続するように形成された配線パターン４６ｃ，４６ｄからなる。タクトスイッチ２３は、接点基板４１の配線パターン４６ｃ，４６ｄが支持基板４４の回路パターン４７（図２参照）に半田付けなどによって固着されることで機械的及び電気的に接続される。支持基板４４の回路パターン４７は、カメラ２のメインコントローラ（図示せず）に接続され、タクトスイッチ２３からのレリーズ信号を送信する。タクトスイッチ２３を支持した支持基板４４は、カメラボディ１１に取り付けられる。これにより、タクトスイッチ２３はスイッチ取付部２２に固定される。
【００２３】
ドーム接片４２は、上面がドーム状に凸となるように形成された凸部４２ａと、その下方の円筒部４２ｂからなる。円筒部４２ｂは、接点４６ａ，４６ｂに接触しないように、接点４６ｂの外側に配設される。また、円筒部４２ｂには、配線パターン４６ｃ，４６ｄに接触しないように、切り欠き部４２ｃ，４２ｄが形成されている。カバー部材４３は、接点基板４１よりも１回り大きい矩形枠状に形成され、上面には、ドーム接片４２の凸部４２ａを露呈させる開口４３ａが、底面には接点基板４１と嵌合する開口４３ｂ（図３参照）が形成されている。タクトスイッチ２３は、カバー部材４３と接点基板４１の間にドーム接片４２を挟み込み、カバー部材４３と接点基板４１とを嵌合させて固定することによって組み立てられる。
【００２４】
ドーム状の凸部４２ａは、その中心が接点基板４１の接点４１ａ，４１ｂの中心に合わせるように位置しており、初期状態では、接点４１ａ，４１ｂと接触しない。そして、レリーズボタン１５の押圧部３０から押圧を受けると変形し、凸部４２ａが反転して下方に凸となって変位する。この凸部４２ａが下方に凸となる接触位置となったときに、接点４１ａ，４１ｂと同時に接触する。これによって接点４１ａ，４１ｂが導通し、レリーズ信号を送信する。
【００２５】
上記構成の作用について以下に説明する。レンズバリア１２をスライドして開放し、デジタルカメラ１０の電源スイッチがオンされる。図示しない操作部によって撮影モードが選択されていると、デジタルカメラ１０のメインコントローラはＣＣＤイメージセンサを作動し、液晶パネルには被写体画像が表示される。撮影者は液晶パネルを観察しながら被写体を確認し、フレーミングを行う。
【００２６】
フレーミングの後、撮影者は、レリーズボタン１５を押下して撮影を行う。このレリーズボタン１５を押下すると、先ずは図５（Ａ）に示すように、レリーズボタン１５はボタンガイド部２１に沿って移動し、押圧部３０の接触面３０ｂがタクトスイッチ２３のドーム接片４２に当接する。このドーム接片４２に押圧部３０が当接した状態からさらにレリーズボタン１５を押し下げていくと、レリーズボタン１５からの押圧がドーム接片４２に伝達されて凸部４２ａが反転して下方に凸となる接触位置となる（図５（Ｂ）に示す状態）。これによって接点４１ａ，４１ｂが導通してタクトスイッチ２３がオン状態となり、メインコントローラへレリーズ信号を送信する。レリーズ信号が送られると、ＣＣＤイメージセンサから得られる１画面分の撮像信号が画像データに変換されて記憶され、一回の撮像が終了する。
【００２７】
そして、タクトスイッチ２３がオン状態となってから、レリーズボタン１５がさらに押し下げられると押圧部３０が撓みを開始し、「く」の字が折り畳まれるように変形していく（図６（Ａ））。このようにレリーズボタン１５からの押圧を吸収した押圧部３０は全長Ｈが収縮した状態（図６（Ｂ））となる。
【００２８】
上述のように、タクトスイッチ２３がオン状態となった後、押圧部３０が変形して収縮することによってレリーズボタン１５を押下したときの衝撃が吸収されるので、この押下操作をしたときに手ブレが生じたり、カメラが傾いたりすることを防ぐことができる。また、タクトスイッチとレリーズボタンから構成される簡単な構成であることから、スイッチ装置２０及びこれが取り付けられるカメラのローコスト化を図ることができる。
【００２９】
なお、上記実施形態では、レリーズボタンと一体に設けた押圧部を「く」の字状に屈曲する形状に形成し、押圧部を変形させることによって手ブレを防いでいるが、本発明はこれに限るものではない。以下では、押圧部を異なる構成とした第１の変形例を説明する。この変形例を適用したスイッチ装置は図７に示すような構成となっている。なお、図７に示すスイッチ装置５０では、上記実施形態と同様の部品及び部材を用いているものについては同符号を付して説明を省略する。このスイッチ装置５０は、レリーズボタン５１、押圧部５２、ボタンガイド部２１、スイッチ取付部２２、タクトスイッチ２３、付勢部材２６、及び押え部材２７からなる。
【００３０】
押圧部５２は、レリーズボタン５１と一体に形成されたガイド部５６と、このガイド部５６に沿ってレリーズボタン５１から突出する突出位置、及びこの突出位置から退避してレリーズボタン５１に近接する収縮位置の間で移動自在に設けられた移動部材５７と、この移動部材５７を突出位置に付勢する付勢部材５８とからなる。ガイド部５６は、移動部材５７をレリーズボタン５１の押下方向に沿ってガイドする。移動部材５７は、タクトスイッチ２３に接触する接触部５７ａ、及びガイド部５６から離脱しないようにする抜け止め部５７ｂを有する。なお、付勢部材５８としてはコイルバネに限るものではなく、板バネや、弾性を持つゴムなどから構成してもよい。
【００３１】
上記のような構成のスイッチ装置５０では、レリーズボタン５１を押下すると、図８（Ａ）に示すように、ドーム接片４２の凸部４２ａが反転して下方に凸となりタクトスイッチ２３がオン状態となる。そして、この状態からさらにレリーズボタン５１が押し下げられると、付勢部材５８の付勢に抗して移動部材５７が突出位置から収縮位置に移動する。このように移動部材５７が移動してレリーズボタン５１が受けた押圧を吸収するので、手ブレやカメラの傾きを防ぐことができる。
【００３２】
また、上記実施形態においては、１つのタクトスイッチ２３のみを設けた１段階操作のスイッチ装置を例に上げて説明しているが、本発明はこれに限らず、上記のタクトスイッチ２３の他に、第２のスイッチを設けて、２段階操作を可能としてもよい。以下では、第２のスイッチを設け、２段階操作可能とした場合の好ましい構成を第２の変形例として説明する。この第２の変形例のスイッチ装置は図９に示すような構成となっている。なお、図９に示すスイッチ装置６０では、上記実施形態と同様の部品及び部材を用いているものについては同符号を付して説明を省略する。また、図９及び図１０では、図面の煩雑化を防ぐため、レリーズボタン１５を初期位置に付勢する付勢部材を省略している。このスイッチ装置６０は、レリーズボタン１５、押圧部３０、ボタンガイド部２１、スイッチ取付部２２、タクトスイッチ２３、付勢部材２６、押え部材２７、及び第２スイッチ６１からなる。第２スイッチ６１は、押圧部３０に近接する位置に設けられており、押圧部３０が撓みを生じていないときには、押圧部３０と接触せず、オフ状態となっており、押圧部３０が撓みを生じて折り畳まれたとき、押圧部３０の屈曲部３０ｃと接触してオン状態となる。なお、第２スイッチ６１としては、タクトスイッチ２３と同様のものを用いることもできるが、これに限らず、リーフスイッチなどでもよく、あるいは、この第２スイッチ６１は押圧部３０が一定量以上折り畳まれたことを電気的に検知すればよく、例えばフォトインタラプタ、近接スイッチなど非接触型のものを用いてもよい。さらにまた、これらのスイッチ以外に、例えば、押圧部３０を導電性のゴム部材などから形成するとともに、第２スイッチ６１を導電性の部材から形成し、第２スイッチ６１と押圧部３０とが接触したときに電気的に導通して信号を送る構成としてもよい。
【００３３】
上記のようなスイッチ装置６０では、レリーズボタン１５を押下すると、先ず、ドーム接片４２の凸部４２ａが反転して下方に凸となりタクトスイッチ２３がオン状態となる（図１０（Ａ）に示す状態）。これによって半押し信号がメインコントローラに送られる。そしてレリーズボタン１５がさらに押し込まれると、押圧部３０が折り畳まれて屈曲部３０ｃが第２スイッチ６１に接触してオン状態となる。これによって、全押し信号がメインコントローラに送られる。
【００３４】
このような、２段階操作可能なスイッチ装置を組み込んだカメラでは、半押し時に測光及び測距を行うようにしてもよく、また半押し時に測光及び測距の結果に基づく露出調節とフォーカス調節を行うようにしてもよいが、これに限らず、上述のようにレリーズボタン１５を押し込んでタクトスイッチ２３がオン状態となったときには、通常の静止画撮影が行われ、押圧部３０が折り畳まれて第２スイッチ６１がオン状態となったときには、タクトスイッチ２３のオン状態とは別の機能、例えば、連写撮影や動画撮影が開始するようにしてもよい。あるいはその逆に、タクトスイッチ２３のオン状態で連写撮影や動画撮影が行われ、第２スイッチ６１のオン状態で静止画撮影が行われるようにしてもよい。さらにまた、これらに限らず、タクトスイッチ２３のオン状態で撮影が開始された状態から、さらにレリーズボタン１５を押し込んで第２スイッチ６１をオン状態としたときに撮影が停止されるというキャンセル機能を備えたカメラを構成してもよい。あるいは、第２スイッチ６１を撮影開始用のスイッチとしてではなく、スイッチ６１がオン状態となったときは、手ブレ状態であると判断してそれを撮影者に認識させるように警告したり、レリーズボタン１５を強く押し過ぎであることを警告したりするための検知スイッチとして使用してもよい。
【００３５】
なお、上記実施形態では、レリーズボタンと一体に設けた押圧部の収縮だけで、レリーズボタンの押圧を吸収して手ブレを防ぐ構成としているが、本発明はこれに限らず、図１１に示すように押圧を吸収する弾性部材を別に設けてもよい。この図１１に示すスイッチ装置７０は、タクトスイッチ２３の底面側、タクトスイッチ２３と支持基板４４との間に弾性部材７１を設けている。弾性部材７１は、例えばゴムや樹脂などから形成されている。この弾性部材７１が収縮することによって、レリーズボタン１５からタクトスイッチ２３が受けた衝撃を吸収するので、手ブレを防ぐことが可能であり、さらにレリーズボタン１５が過剰な力で押し込まれたとき、弾性部材７１が押圧を吸収することもできる。
【００３６】
また、本発明は、デジタルカメラに適用することに限らず、写真フイルムを使用する銀塩カメラに適用することができる。
【図面の簡単な説明】
【００３７】
【図１】デジタルカメラの外観斜視図である。
【図２】第１実施形態のスイッチ装置の構成を示す分解斜視図である。
【図３】スイッチ装置を示す要部断面図である。
【図４】タクトスイッチの構成を示す分解斜視図である。
【図５】レリーズボタンが押下されてタクトスイッチがオン状態となるときの状態を示す説明図である。
【図６】タクトスイッチのオン状態の後、レリーズボタンがさらに押下されたときの状態を示す説明図である。
【図７】第１実施形態の第１変形例を示すスイッチ装置の要部断面図である。
【図８】第１変形例でレリーズボタンが押下操作されたときの状態を示す説明図である。
【図９】第１実施形態の第２変形例を示すスイッチ装置の要部断面図である。
【図１０】第２変形例でレリーズボタンが押下操作されたときの状態を示す説明図である。レリーズボタンが軽く押下られたときの状態を示す説明図である。
【図１１】第１実施形態の第３変形例を示すスイッチ装置の要部断面図である。
【符号の説明】
【００３８】
１０  デジタルカメラ
１５，５１  レリーズボタン
２０，５０，６０，７０  スイッチ装置
２３  タクトスイッチ
３０，５２  押圧部
４２  ドーム接片
【図１】
2006145693.tif 000003
【図２】
2006145693.tif 000004
【図３】
2006145693.tif 000005
【図４】
2006145693.tif 000006
【図５】
2006145693.tif 000007
【図６】
2006145693.tif 000008
【図７】
2006145693.tif 000009
【図８】
2006145693.tif 000010
【図９】
2006145693.tif 000011
【図１０】
2006145693.tif 000012
【図１１】
2006145693.tif 000013